(57)【要約】      （修正有）【課題】収納ケースへの旗類の出し入れが容易に行えるとともに納めた際の旗類が雨水などの影響を受けて傷むことのないようにした旗類掲納装置を提供する。【解決手段】収納ケース１３の上側に、収納のため降ろされてくる旗類の垂れ下がる部分を外周囲に誘導しながらロープ１０を内方である下方へと導く受け返し用ガイド４０がその下端を収納ケースの開口２３に通じる形にして取り付けられ、収納ケース内の開口の位置より下方でかつ前側に対応する位置には、引き降ろされてくるロープを収納ケース開口の直下である下方空間よりも前方に誘導するための掛け受けローラー２７が設けられている。【選択図】図１
0003221329.tif 000002
【実用新案登録請求の範囲】
【請求項１】
取付部から立設されたポールと、前記ポールの上端に設けられた上位ホイールと、上端が上位ホイールの回りに掛けられたロープと、ロープの少なくとも上下２個所に対して取り付けられた旗類と、前記ポールの下部前側に内部空間を有するケース体として設けられてその上端のポール側寄りの個所には旗類付きロープを出し入れ可能とする開口が形成されている収納ケースと、ロープの収納ケース内に位置する部分を回転駆動自在に掛け回すものとしての駆動ホイールと、この駆動ホイールを正逆に回転駆動する駆動源とを有する旗類掲納装置であって、前記収納ケースの上側には、収納のため降ろされてくる旗類の垂れ下がる部分を外周囲に誘導しながらロープを内方である下方へと導く受け返し用ガイドがその下端を前記開口に通じる形にして取り付けられ、前記収納ケース内の前記開口の位置より下方でかつ前側に対応する位置には、引き降ろされてくるロープを収納ケースにおける開口の直下である下方空間よりも前方に誘導する掛け受けローラーが設けられていることを特徴とする旗類掲納装置。
【請求項２】
請求項１に記載のものにおいて、受け返し用ガイドは、上端が収納ケースの開口よりも大きい口径とそれより下部が上端よりも小さく絞られた口径とされている旗類掲納装置。
【考案の詳細な説明】
【技術分野】
【０００１】  本考案は、旗類掲納装置に関する。
【背景技術】
【０００２】  例えば、地面などに立設されるポールは、その上端に滑車を設け、その滑車に日の丸国旗などの旗類を備えたロープを掛け回すことにより旗類を掲揚可能な旗ポールが設けられている。そうした一例としては、特許公報１に示すものがある。
【先行技術文献】
【特許文献】
【０００３】
【特許文献１】特開平１−１６７８８５号
【考案の概要】
【考案が解決しようとする課題】
【０００４】  特許文献１に示すものは、旗ポールについてのもので、剥出し状態であって風雨によって作動トラブルが起きやすい滑車を被冠する頭玉体を設けることによって作動が良好に保たれるようにしたものである。この旗ポールは、カバーケースを外してロープ掛けに掛けられたロープを外してロープ操作すれば旗を降ろすことができるようになっているが、降ろされた旗はそのままでは風雨に晒されたり盗まれたりするため、旗は一旦ロープから外して他所に納める必要があり、それは手間の掛ることである。そうした手間をなくすには、ポールの下部周りに旗を納めることのできる収納ケースを設けておけばよく、その場合、収納ケースの上端には、旗付きロープを出し入れするための開口を形成するが、その開口は垂れ下がった旗がそのままの姿勢でケース内に納まるように大き目に形成しておくのが一般的であるが、そうするとそこから雨などが入り込んで直下に収納した旗に降り掛ってしまうため、中に収納される旗が浸食を受けて比較的早目に傷んでくる不都合がでてくる。【０００５】  本考案は、こうした問題を解決しようとするものであり、収納ケースへの旗類の出し入れが容易に行えるとともに納めた際の旗類が雨水などの影響を受けて傷むことのないようにした旗類掲納装置を提供することを目的とする。
【課題を解決するための手段】
【０００６】  本考案は上記目的を達成するため、請求項１に記載の考案は、取付部から立設されたポールと、前記ポールの上端に設けられた上位ホイールと、上端が上位ホイールの回りに掛けられたロープと、ロープの少なくとも上下２個所に対して取り付けられた旗類と、前記ポールの下部前側に内部空間を有するケース体として設けられてその上端のポール側寄りの個所には旗類付きロープを出し入れ可能とする開口が形成されている収納ケースと、ロープの収納ケース内に位置する部分を回転駆動自在に掛け回すものとしての駆動ホイールと、この駆動ホイールを正逆に回転駆動する駆動源とを有する旗類掲納装置であって、前記収納ケースの上側には、収納のため降ろされてくる旗類の垂れ下がる部分を外周囲に誘導しながらロープを内方である下方へと導く受け返し用ガイドがその下端を前記開口に通じる形にして取り付けられ、前記収納ケース内の前記開口の位置より下方でかつ前側に対応する位置には、引き降ろされてくるロープを収納ケースにおける開口の直下である下方空間よりも前方に誘導する掛け受けローラーが設けられていることを特徴とする。
旗類とは国旗・校旗・団体標章旗・店舗標章旗・イベント標章旗など表示内容を問わず広くその対象とし、また旗類の生地も薄く巻取りや繰出しの可能な布や樹脂など薄地材であってその形態も矩形に限定されず三角形などでもよい。ポールは、垂直の他に斜め指向のものであってもよい。
請求項２に記載の考案は、請求項１に記載のものにおいて、受け返し用ガイドは、上端が収納ケースの開口よりも大きい口径とそれより下部が上端よりも小さく絞られた口径とされている。
【考案の効果】
【０００７】  上述したように請求項１に記載の考案は、取付部から立設されたポールと、前記ポールの上端に設けられた上位ホイールと、上端が上位ホイールの回りに掛けられたロープと、ロープの少なくとも上下２個所に対して取り付けられた旗類と、前記ポールの下部前側に内部空間を有するケース体として設けられてその上端のポール側寄りの個所には旗類付きロープを出し入れ可能とする開口が形成されている収納ケースと、ロープの収納ケース内に位置する部分を回転駆動自在に掛け回すものとしての駆動ホイールと、この駆動ホイールを正逆に回転駆動する駆動源とを有する旗類掲納装置であって、前記収納ケースの上側には、収納のため降ろされてくる旗類の垂れ下がる部分を外周囲に誘導しながらロープを内方である下方へと導く受け返し用ガイドがその下端を前記開口に通じる形にして取り付けられ、前記収納ケース内の前記開口の位置より下方でかつ前側に対応する位置には、引き降ろされてくるロープを収納ケースにおける開口の直下である下方空間よりも前方に誘導する掛け受けローラーが設けられていることを特徴とするので、収納ケースへの旗類の出し入れが容易に行えるとともに納めた際の旗類が雨水などの影響を受けて傷むことのないようにした旗類掲納装置を提供することができる。
【図面の簡単な説明】
【０００８】
【図１】  本考案の一実施形態を図２のＩ−Ｉ線に対応して示す縦断面図。
【図２】  図１のＩＩ−ＩＩ線断面図。
【図３】  図１および図２の要部拡大斜視図。
【図４】  他の実施形態を示す要部拡大斜視図。
【図５】  他の実施形態を示す斜視図。
【考案を実施するための形態】
【０００９】  以下、本考案である旗類掲納装置をその一実施形態を示す図１ないし図３に基づいて説明する。
これらの図において、１は設置基盤、２は共通取付座、３は後側のポール取付座（取付部）、４は前側のケース取付座である。
ポール取付座３からは円筒状をしたポール５が高く立設されており、このポール５の上端孔部には、旗玉６が挿し込み固定されるとともに、ポール５の上端周りの前側に対応する位置には、左右一対でなるブラケット７を介して滑車である上位ホイール８が取り付けられている。
【００１０】  上位ホイール８の回りには、無端状のロープ１０が掛け回され、このロープ１０の前側に対応する部分には、日の丸国旗などでなる旗類１１が少なくとも上下連結点ａ、ｂに対して取り付けられている。ポール５の下部前側には、内部空間を有するケース体として収納ケース１３が固定設置されている。装置としてみれば、図１のＦ側が前側で、Ｒ側が後側であり、図２の左右が左・右各側である。
【００１１】  収納ケース１３は、左右に幅が狭く側面からみると縦長台形状をなす金属薄板でなるケース体でなり、下端の底板１４を止着具１５にて取り付けることによりケース取付座４側に固定されている。この収納ケース１３の本体１７は、縦長矩形状をした金属薄板製の背板１８と、その前側に設けた側面逆くの字形で縦長板状をした前板１９と、左右の側板２０，２０と、上蓋板２１とを有する。前板１９は、前下がり傾斜状（垂線に対し２０度）の前下板部１９ａと垂直な前上板部１９ｂとでなる。
【００１２】  ここで、収納ケース１３の全体と各部の寸法は、高さが１６００ｍｍ、前後幅が３５０ｍｍ、左右幅が１７０ｍｍとされ、前下板部１９ａの高さは１０９０ｍｍ、前上板部１９ｂの高さは５１０ｍｍとされている。収納ケース１３の上部は前後長が１６５ｍｍであり、そのうち前端部である上蓋板２１の前後幅は８０ｍｍで、開口２３の前後長は８５ｍｍであり、上蓋板２１の左右幅間には角型の切欠部２１ａが形成され、それだけの分、開口２３は凸型をなすように溝２３ａの分程大きくなっている。
【００１３】  そして、その開口２３の内縁に適合する形でステンレス丸鋼を凸型に折り曲げてなるロープ保護環２５が固着されている。このロープ保護環２５は、ロープ１０が上蓋板２１の角に直接擦られて損耗などしないようにするための接触受材である。ロープ保護環２５には凸部２５ａが設けられているが、図３の右欄のように凸部２５ａを省略した矩形枠状をしたものにしてもよい。前記前板１９あるいは一方の側板２０がメンテナンスなどのため開閉自在で密閉可能に構成してもよい。収納ケース１３の前側上部は、図１に仮想線で示すように前下がり状でなく下方から一様の断面で伸びる角型に形成してもよい。
【００１４】  ２７は掛け受けローラーで、直径が３０ｍｍの横長状のローラーであり、前下板部１９ａの上端と同じ高さレベルで同板部１９ａよりも内部に１００ｍｍ入った位置を中心にして遊転自在に設けられている。同ローラー２７は、前記開口２３を通じての雨が逆Ｕ字状になるように掛け回された収納時の旗類１１に降り掛からないようにするため、開口２３の直下である下方空間から充分前側に寄って回避するような位置に設定されている。
【００１５】  ３０は駆動ホイールで、収納ケース１３の下部空間に位置され、減速機能付き駆動源３１により正逆に回転駆動されて掛け回されたロープ１０を駆動するものである。Ｓは近接スイッチで、図１のように旗類１１の上昇位置である掲揚位置と下降位置である掛け回し位置とを規定するものである。３２は下位前ホイール（ローラー）、３３は下位後ホイール（ローラー）で、そのうち下位後ホイール３３は、ロープ１０の張りを一定に保つためのテンションローラーとしても機能するようにしてある。
【００１６】  ３５はステンレスで半円パイプ製の長い部材であるロープ背ガイドで、背板１８中央を通るようにしてその溝を背板１８側に向けて固定されており、その下端は駆動源３１よりやや高いところに位置する一方上端は開口２３を越えて上方に伸びて設けられている。このローラー背ガイド３５はロープ１０の背側を安定に案内するものである。
【００１７】  ３６は雨除けカバーで、収納ケース１３内において駆動源３１に雨が掛らないようにその上方を覆うように設けられ、しかも雨が掛ってきたときにはそれら雨を傾斜する後側へと導いたあとそこに開口した図示しないドレン口より排出し落下し得るように構成されている。
【００１８】  ４０は受け返し用ガイドで、その本体は５ｍｍ直径の丸棒あるいはフラットバーなどにより一定の枠型に形成されている。ところで、開口２３はできるだけ前後幅を小さくしておけば雨が収納ケース１３内に入りにくく旗類１１が護られるのであるが、余り小さくしておくと、図１に仮想線で示すように、収納のため下降中の旗類１１をそのまま開口２３へと誘導すると下端の垂れ下がり部分１１ａが開口２３外にはみ出して内部に入りにくく、入っても開口縁に擦り付けられて損耗が激しくなる原因となっていた。そのため、開口２３を小さくしても旗類１１を円滑に出し入れできるように収納ケース１３の前段階に受け返し用ガイド４０を設けたものである。
【００１９】  受け返し用ガイド４０は、１本の上段リング４１と上下２本の中段リング４２，４２と最も下段のロープ保護環２５の各水平な４段枠を構成をしたもので、これらを前側および左右両側に通した前部・側部縦連結ロッド４３、４４…で繋いで枠組を形成してある。
【００２０】  上段リング４１・中段リング４２，４２は長円形に曲げ形成したもので、上段リング４１が中段リング４２より相似的に大きなものとされている。上段リング４１は、半径７５ｍｍの半円２つとその間をつなぐ６０ｍｍの繋ぎとで長径２１０ｍｍの長円形とされ、中段リング４２は、半径５０ｍｍの半円２つとその間をつなぐ４０ｍｍの繋ぎとでもって長径１４０ｍｍの長円形とされている。この上段リング４１は受け返し用ガイド４０の上端であって前記開口２３よりも大きい口径をしており、それより下方の中段リング４２は上段リング４１よりも絞られた小さい口径になっている。
【００２１】  受け返し用ガイド４０の背部には、収納ケース１３内から伸びた前記ロープ背ガイド３５が固着されている。前部縦連結ロッド４３は、図３の左欄のように省略して受け返し用ガイド４０の前側の煩雑化をなくして旗類１１が誘導されやすくすることもある。その場合、上段リング４１や中段リング４１，４１およびロープ保護環２５には、ローラー４６を備えてロープ１０および旗類１１の傷つきを防止するようにすることがある。４７はヒーターで、内部機構の回転不良を防ぐためのものである。
尚、図４に示すように、受け返し用ガイド４０のリング４１，４２は横長型矩形リングを基本として形成してもよい。また、同図に仮想線で示すように、リング４１，４２は三角形を基本として形成してもよい。さらに、上下のリングで構成したものの他に、図５に示すような筒型の受け返し用ガイド４９としてもよい。
【００２２】  図１ないし図３は、朝方の一定時間になると、駆動源３１により駆動ホイール３０が図１の右回りの方向に駆動され、それに応じてロープ１０の一方（前側）がＸ方向に引き上げられることで近接スイッチＳの作用もあって旗類１１が上端に掲揚された様子を示す。一方、夕方の一定時間になると、タイマーの機能により駆動源３１が駆動ホイール３０を左回りの方向に駆動することにより、ロープ１０の一方（前側）が図１のＹ方向に引き降ろされるようになる。その途中の状態が図１の仮想線の状態であり、旗類１１は垂れ下がった状態あるいは風により多少広がった状態になって垂れ下がり部分１１ａが受け返し用ガイド４０の上端外周りにくるようになる。
【００２３】  この状態でロープ１０は中段リング４２，４２およびロープ保護環２５に内接しながら引き降ろされる状態となって、さらなる引き降ろしによりロープ１０の上下連結点ａ、ｂ間の部分が受け返し用ガイド４０内に引き込まれるようになる一方垂れ下がり部分１１ａは受け返し用ガイド４０の外周りに受け持たれて垂れ下がってゆく状態となる。さらにロープ１０が引下げられると、旗類１１の下連結点ｂを先頭にして垂れ下がってきた部分１１ａが下連結点ａに遅れて受け返し用ガイド４０内に引き込まれてゆく状態となる。垂れ下がり部分１１ａは、風や雨の影響もあって、時にして上端の上段リング４１外でなくその内部に入り込もうとすることも想定される。その場合、その下の中段リング４２が垂れ下がり部分１１ａを外部に誘導して受け返し作用をし旗類１１を上手く反転させて導くようにする。
【００２４】  さらにロープ１０が引き降ろされて下連結点ａが掛け受けローラー２７を越えて一定に前下がり状に下げられるが、垂れ下がり部分１１ａは受け返し用ガイド４０内に縦向きに案内されながら下降してゆく。下連結点ａが図１のように掛け受けローラー２７を越えて駆動ホイール３０の駆動軸高さ程度まで大きく下がってくる手前で垂れ下がり部分１１ａはガイド４０内から解放されて自由になってゆくと、垂れ下がり部分１１ａは自然に落とし込まれて図１の仮想線のようにローラー２７回りに逆Ｕ字状に掛け回された状態になる。その少しあとに近接スイッチＳの作用で駆動は停止され、旗類１１は収納状態を終える。この収納状態においては、旗類１１が上方の開口２３の位置より前寄りに逆Ｕ字状に掛け回されて短くコンパクトに回避して待機した状態となるので、開口２３より雨が入ってきてもそれによって濡れるおそれがない。また、旗類１１は、ガイド４０とローラー２７の機能により逆Ｕ字状に掛け回されて収納されるようになっているので、例えば、逆Ｕ字状にされず下向きに大きく垂れ下がるように収納待機するものに比べて収納ケース１３は低いケースで済むことになる。朝方になって上下連結点ａ、ｂが引上げられると、下連結点ａの上昇に連れて旗類１１も引上げられて仮想線のように垂れ下がった状態になってさらに引き上げられ掲揚状態とされる。
【符号の説明】
【００２５】１…設置基盤  ５…ポール  ８…上位ホイール  １０…ロープ  １１…旗類  １３…収納ケース  ２３…開口  ３０…駆動ホイール  ３１…駆動源  ４０…受け返し用ガイド。
【図１】
0003221329.tif 000003
【図２】
0003221329.tif 000004
【図３】
0003221329.tif 000005
【図４】
0003221329.tif 000006
【図５】
0003221329.tif 000007
【手続補正書】
【提出日】平成31年2月22日(2019.2.22)
【手続補正１】
【補正対象書類名】実用新案登録請求の範囲
【補正対象項目名】請求項２
【補正方法】変更
【補正の内容】
【請求項２】
請求項１に記載された旗類掲納装置において、受け返し用ガイドは、上端が収納ケースの開口よりも大きい口径とそれより下部が上端よりも小さく絞られた口径とされていることを特徴とする請求項１記載の旗類掲納装置。